(57)【要約】【課題】窓の開閉部は小さく、開閉負荷を軽減するとともに、大きな窓の開閉と同等の換気効果得ることができ、雨の日でも十分な換気が行え、温室内を高温多湿を防止可能な換気効率に優れた温室天井換気窓を実現する。【解決手段】２つの長さの異なる外側アーチパイプ２、３を向き合わせて構成される温室天井頂部において、長く延長された外側アーチパイプ２、３の先端部を固定縦パイプ１４で固定すると共に、固定縦パイプ１４に窓枠の端部を回転できるように枢着し、窓枠を開閉するラック２３とピニオン２４とからなる駆動手段を設ける。【選択図】図３
2005278581.tif 000002
【特許請求の範囲】
【請求項１】
２つの長さの異なる外側アーチパイプを向き合わせて構成される温室天井頂部において、長く延長された前記外側アーチパイプの先端部を固定縦パイプで固定すると共に、前記固定縦パイプに窓枠の端部を回転できるように枢着し、前記窓枠を開閉する駆動手段を設けたことを特徴とする温室パイプの換気装置。
【請求項２】
前記駆動手段は、ラック手段とそれを駆動するピニオンギアとからなることを特徴とする請求項１に記載の温室パイプの換気装置。
【請求項３】
前記固定縦パイプは、回転可能な窓枠の縦パイプを兼ねたものであることを特徴とする請求項１に記載の温室パイプの換気装置。
【請求項４】
前記長く延長された外側アーチパイプは、延長パイプで延長されたものであること特徴する請求項１、２又は３に記載の温室パイプの換気装置。
【請求項５】
前記固定縦パイプは、ネットを取り付けたことを特徴とする請求項１、２、３又は４に記載の温室パイプの換気装置
【発明の詳細な説明】
【技術分野】
【０００１】
本発明は、雨天時でも温室の換気を効率よく行い、しかも強風時においても耐えうる丈夫な温室換気窓に関するものである。
【背景技術】
【０００２】
従来の温室天井換気窓としては、温室天井頂部を回転軸にして、それに窓枠を取り付け、窓枠を回転自在に開閉する温室換気装置が知られている（例えば、特許文献１参照）。また、温室天井頂部を上下に持ち上げて温室換気する温室換気装置が知られている（例えば、特許文献２、３参照。）。
【０００３】
さらに、温室天井頂部付近に設けられた被覆材をパイプ等で巻き上げることにより行うなどの温室換気装置は公知の技術（例えば、特許文献４参照。）であった。
【特許文献１】実開昭５９−１７２５５４号公報
【特許文献２】実公昭５７−１５３４１号公報
【特許文献３】実公平４−１７６９９号公報
【特許文献４】登録実用新案第３０２９７８１号公報
【発明の開示】
【発明が解決しようとする課題】
【０００４】
しかしながら、上記従来の技術は、いずれも降雨時には雨が温室内に入り込み易く、窓を全閉する必要があった。そうすると、作物を栽培する場合、雨の日は温室内が加湿状態になり、窓を閉めた状態で管理すると温室内が高温多湿状態になり、作物が育ち過ぎたり、あるいは害虫の発生が多くなるいう不都合があった。また、強風時には、窓と屋根面との隙間に風が入り込み窓が浮き上がるという被害があった。
【０００５】
そこで、本発明は、上記従来の問題を解決することを目的とするものであり、温室の換気窓において、次のようなことを課題とするものである。
（１）雨の日でも十分な換気が行え、温室内を高温多湿になることなく、作物の育ち過ぎを防ぐと共に病害虫の発生を少なくし、減農薬栽培を行うことを可能とする。
（２）強風に対しても窓枠の浮き上がりよる被害等が起こらないようにする。
（３）窓の開閉部は小さく、開閉負荷を軽減するとともに、大きな窓の開閉と同等の換気効果を得る。
（４）一カ所の駆動力でより長い窓の開閉が容易に行えるようにする。
【課題を解決するための手段】
【０００６】
本発明は上記課題を解決するために、２つの長さの異なる外側アーチパイプを向き合わせて構成される温室天井頂部において、長く延長された前記外側アーチパイプの先端部を固定縦パイプで固定すると共に、前記固定縦パイプに窓枠の端部を回転できるように枢着し、前記窓枠を開閉する駆動手段を設けたことを特徴とする温室パイプの換気装置を提供する。
【０００７】
前記駆動手段は、ラック手段とそれを駆動するピニオンギアとからなる構成とすることが好ましい。
【０００８】
前記固定縦パイプは、回転可能な窓枠の縦パイプを兼ねたものである構成としてもよい。
【０００９】
前記長く延長された外側アーチパイプは、延長パイプで延長されたものである構成としてもよい。
【００１０】
前記固定縦パイプは、ネットを取り付けた構成としてもよい。
【発明の効果】
【００１１】
本発明は、上記解決手段を特徴としており、これにより、以下に記載されているような効果を有する。
（１）窓枠Ａは、長い外枠アーチパイプ（又は延長パイプ）の先端部に設けられた自在回転金具を支点として、外側に張り出すように開くため、温室内に雨が入りにくくなる。そのため雨の日でも十分な換気が行え、温室内を高温多湿になることなく、作物の育ち過ぎを防ぐと共に病害虫の発生を少なくし、減農薬栽培を行うことができる。
【００１２】
（２）全閉状態では、強風が吹いても窓枠が押しつけられるため、窓枠の浮き上がりよる被害が起こらない。
（３）窓の開閉部は小さくとも大きな窓の開閉と同等の換気効果が得られる。
（４）小さな窓枠Ａの開閉ですむため、開閉負荷も小さくてすみ、一カ所の駆動力でより長い窓の開閉が容易に行われる。
（５）この装置では、固定パイプの前面に防虫用ネットを容易に取り付けることができ、害虫の侵入を防ぐと共に強風時には防風ネットとしても役立ち、温室内に強風が入ることを防ぐことができる。
【発明を実施するための最良の形態】
【００１３】
本発明に係る換気効率に優れた温室天井換気窓を実施するための最良の形態を実施例に基づいて図面を参照して以下に説明する。
【実施例】
【００１４】
図１は、パイプ温室のパイプ組み立ての構成を示したものである。２つの長さの異なる外側アーチパイプ２、３を向き合わせたものにおいて、一方の長い外側アーチパイプ２の先端部より一定の距離下方の位置に、他方の短い外側アーチパイプ３の先端部を外側アーチパイプ固定金具７で固定し、接続部とする。
【００１５】
そして、一対の内側アーチパイプ４、５を互いに交差させて交差部とし、それぞれの先端を前記外側アーチパイプ３、２の前記接続部より一定の距離下方の位置に内側アーチパイプ固定金具８で固定し、接続部とする。
【００１６】
前記交差部は、固定金具９で内張り用棟パイプ１０と固定する。さらに長い外側アーチパイプ２と内側アーチパイプ４の湾曲部の下部の位置とを固定金具１１で固定すると共に、対向する短い外側アーチパイプ３と内側アーチパイプ５の湾曲部の下部の位置とを固定金具１１で固定する。
【００１７】
基礎１は、アーチパイプの内径よりもわずかに小さな径の２本の肉厚のパイプを一定の間隔で溶接固定し、間口に合わせて埋設しコンクリートで固定したものであって、前記外側アーチパイプ２、３と前記内側アーチパイプ４、５を、それぞれの基礎１のパイプに高さ調整固定金具６のボルトで締め付け固定する。このようにして２基の基礎１、１と４本のアーチパイプで構成された合掌ユニットを一定の間隔で必要数敷設し、棟パイプ１２と固定金具１３でそれぞれを連結して、パイプ温室を構成する。
【００１８】
なお、一方の外側アーチパイプ２を延長されて長いパイプについて説明したが、同じ長さの外側アーチパイプの一方に延長パイプ２’（図２、３参照）を別に取り付けてもよい。そうすれば、既存の外側アーチパイプを延長することができるので、安価なパイプ温室を提供するすることができる。以下の説明では、延長パイプ２’も、広義の長い外側アーチパイプ２として説明する。例えば、図２、３中、延長パイプ２’の先端部でも長い外側アーチパイプ２の先端部として説明する。
【００１９】
図２は、天井換気窓枠（以下、「窓枠Ａ」という。）の側面図であり、図３は、窓枠Ａの開閉装置の斜視図である。上記長い外側アーチパイプ２の先端部付近に、固定縦パイプ１４の一端を固定し、さらに他端を外側アーチパイプ３に固定する。そして、長い外側アーチパイプ２の先端部付近及び前記固定縦パイプ１４と短い外側アーチパイプ３との結合部分の付近に、それぞれ被覆材固定レール１８、２１をビスで固定する。さらに、天井換気窓枠縦パイプＬ、Ｒの上端部及び下端部の外側にそれぞれ被覆材固定レール１９、２０をビスで固定する。
【００２０】
そして、長い外側アーチパイプ２の先端部に自在回転する自在連結金具１５を取り付けると共に、前記連結金具１５に、天井換気窓枠縦パイプＬ、Ｒを枢着し、その他端部に天井換気窓枠横パイプ１６を固定金具１７で固定して、天井換気窓枠縦パイプＬ、Ｒと天換気窓枠横パイプ１６とで窓枠Ａを構成する。窓枠Ａの窓枠幅は、必要に応じた幅とすることができる。
【００２１】
窓枠Ａは、固定縦パイプ１４の上面に、自在連結金具１５を中心に回転できる窓枠であり、窓枠Ａの縦枠の一部に、ラック２３の一端を回転できるように枢着し、前記ラック２３は、ピニオン２４に噛合させ、ピンオン２４は、駆動軸２２によって、回転できるようになっていて、前記駆動軸２２を回転することにより、前記ラック２２がスライドし、前記ラック２３に取り付けられた窓粋Ａが自在連結金具１５を中心として開閉される。
【００２２】
駆動軸２２には、図示しないが、歯車が固定されており、この歯車に自重で垂れ下がった無端チェーンがかみ合わされ、このチェーンを使用者が一方に引っ張りながら回動することにより回転可能とするものである。なお、駆動軸２２はモータにより回動可能としてもよい。
【００２３】
本発明では、このように、窓枠Ａは、長い外枠アーチパイプ２（延長パイプ２’も含む。）の先端部に設けられた自在回転金具１５を支点として、外側に張り出すように開くため、温室内に雨が入りにくくなる。そのため雨の日でも十分な換気が行え、温室内を高温多湿になることなく、作物の育ち過ぎを防ぐと共に病害虫の発生を少なくし、減農薬栽培を行うことができる。そして、全閉状態では、強風が吹いても窓枠が押しつけられるため、窓枠Ａの浮き上がりによる被害が起こらない。
【００２４】
さらに、本発明では、温室の換気は、小さな窓枠Ａの開閉で大きな窓の開閉と同等の換気効果が得られ、その結果、開閉負荷も小さくてすみ、又、構造上、一カ所の駆動力でも、より長い窓の開閉が容易に行われる。なお、ここでは窓枠Ａの開閉装置の一例として、ラック２３、ピニオン２４、駆動軸２２による開閉装置を説明したが、窓枠Ａを本発明のようなリンク機構（一端が枢着された天井換気窓枠縦パイプＬ、Ｒをラック２３で回動するリンク機構）で開閉できるものならこの実施例限定されるものではない。
【００２５】
ところで、被覆材４０は、被覆材固定ルール１８、１９、２０、２１によって取り付けられている。被覆材固定ルール１８、２１によって、固定縦パイプ１４の前面に防虫用ネット４１を張ると、害虫が窓枠Ａを解放しておいても温室内に害虫が入らず、作業がやり易い。また温室内の過剰な温度湿度上昇を防ぐことができる。さらに、強風時には防風ネットとしても役立ち、温室内に強風が入ることを防ぐことができる。
【００２６】
図４は、窓枠Ａの開閉装置の回転軸部分の他の実施例である。すなわち、図２、３で示す前記実施例の固定縦パイプ１４はその下端を外側アーチパイプ３に固定している。しかし、図４に示す別の実施例では、固定縦パイプ１４を、その下端を外側アーチパイプ３に固定するような構成としないで、その上端を長い外側アーチパイプ２の先端部に自在回転金具１５を介して回転自在に枢着し、窓枠Ａを構成したものである。この場合、固定縦パイプ１４そのものが窓枠Ａの縦枠Ｌ、Ｒとなり、この縦枠Ｌ、Ｒにラック２３の一端を回転できるように取り付け、駆動手段で窓枠Ａが開閉されることとなる。その他の構成は、図２、３で示す前記実施例と同じである。
【００２７】
図５に示される実施例では、内張り実施例として被覆材２６、２７を内張り用棟パイプ１０に上部を取り付け、下部は巻き上げパイプ２８、２９に巻付け、固定する。巻き上げパイプ２８、２９を回転することにより被覆材の開閉が容易に行える。
【００２８】
その他の温室アーチパイプの実施例として、外側、内側それぞれのアーチパイプの垂直柱部の下部は基礎１に固定し、内側のアーチパイプを交差させて外側アーチパイプと連結し、交差部を固定、外側、内側のアーチパイプの湾曲部の下部を固定することにより、温室側面、温室天井面において広い面構造体を構築することが可能となり、横方向、上下方向とも大きな強度の温室を構築することができる。
【００２９】
また、大きな強度の温室を構築することができるため、従来よりもより広い間口の温室を構築することも可能になり、単位面積あたりの設備費を少なくすることができる。
【００３０】
以上、本発明に係る換気効率に優れた温室天井換気窓の最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００３１】
本発明は上記のとおり、雨天時でも温室の換気を効率よく行い、温室内を高温多湿になることなく、作物の育ち過ぎを防ぐと共に病害虫の発生を少なくでき、しかも強風時においても耐えうる丈夫な温室換気窓であるから、各種の野菜、果実等の減農薬栽培を行う温室の天井換気窓の活用が好適である。
【図面の簡単な説明】
【００３２】
【図１】パイプ温室の斜視図である。
【図２】本発明の温室天井換気窓の実施例の側面図である。
【図３】本発明の温室天井換気窓の実施例の斜視図である。
【図４】本発明の温室天井換気窓の他の実施例の斜視図である。
【図５】内張り下地の実施例である。
【符号の説明】
【００３３】
１  基礎                                                 
２、３  外側アーチパイプ                                 
２’延長パイプ                                           
４、５  内側アーチパイプ                                 
６  高さ調整固定金具                                     
７  外側アーチパイプ固定金具                             
８  内側アーチパイプ固定金具                             
９  内張り用棟パイプと内側アーチパイプ固定金具           
１０  内張り用棟パイプ                                   
１１  湾曲部の下部の固定金具                             
１２  棟パイプ                                           
１３  棟パイプ固定金具                                   
１４  固定縦パイプ                                       
１５  自在回転金具                                       
１６  天換気窓枠横パイプ                                 
１７  天換気窓枠横パイプ固定金具                         
１８、１９、２０、２１  被覆材固定レール                 
２２  駆動軸                                             
２３  ラック                                             
２４  ピニオン                                           
２５  シャフト取り付け金具                               
２６、２７  被覆材                                       
２８、２９被覆材巻き上げ用パイプ                         
３０  被覆材巻上げ装置                                   
４０  被覆材
４１  防虫用ネット
Ａ    天換気窓枠                                        
Ｌ、Ｒ天井頂部窓枠縦パイプ 
【図１】
2005278581.tif 000003
【図２】
2005278581.tif 000004
【図３】
2005278581.tif 000005
【図４】
2005278581.tif 000006
【図５】
2005278581.tif 000007